(57)【要約】【課題】正確かつスピーディでしかも操作が簡単な文字入力方法を提供することを目的とする。【解決手段】タッチパネル入力機能を有する情報処理装置１において、表示画面２に縦３列横４列の１２キー３を表示し、表示画面２上のキー４を押て文字入力することを特徴とする。一つのキー４に複数の文字がある場合、希望する文字が現れるまで連続してキー４を押すか、別枠５内に表示された文字入力キー６を押すか、ポップアップした別枠５内に表示された複数文字の文字入力キー６を押す。または、ポケベル方式により２桁の数字で文字を入力する。また、文字の種類を切替えて文字入力することができる。また、タブ７を押して入力モードを切替えることができる。また、通常のディスプレイ表示部８に入力された文字９を表示することができる。また、表示画面２の下方に１２キー３を表示することができる。【選択図】図１２
2005092441.tif 000002
【特許請求の範囲】
【請求項１】
タッチパネル入力機能を有する情報処理装置の表示画面に、文字入力用キーとして縦３列横４列計１２個のキーからなる１２キーを表示し、キーを押すことによりキーに割り当てられた文字が入力でき、１個のキーに対して複数の文字が割り当てられている場合はそのキーを連続して押す回数に応じて文字を次々に変更でき、希望する文字が現れるまでキーを押すことにより文字が入力できることを特徴とする文字入力方法。
【請求項２】
タッチパネル入力機能を有する情報処理装置の表示画面に、文字入力用キーとして縦３列横４列計１２個のキーからなる１２キーと別枠とを表示し、キーを押すことによりキーに割り当てられた文字が入力でき、１個のキーに対して複数の文字が割り当てられている場合は、そのキーを押すとそれらの文字が別枠内に文字入力キーとして表示され、この別枠内の文字入力キーは他の１２キーを押すまでは表示されたままであり、別枠内に表示された希望する文字入力キーを押すことにより文字が入力できることを特徴とする文字入力方法。
【請求項３】
タッチパネル入力機能を有する情報処理装置の表示画面に、文字入力用キーとして縦３列横４列計１２個のキーからなる１２キーを表示し、キーを押すことによりキーに割り当てられた文字が入力でき、１個のキーに対して複数の文字が割り当てられている場合は、そのキーを押すとそれらの文字は押したキーが属する列と隣接するキーの列との中間上にポップアップ表示された別枠内に一列の文字入力キーとして表示され、別枠の幅は下になっている１２キーに表示されている文字に重ならない程度であり、別枠は他の１２キーを押すまでは開かれたままの状態に保たれており、別枠内に表示された希望する文字入力キーを押すことにより文字が入力できることを特徴とする文字入力方法。
【請求項４】
タッチパネル入力機能を有する情報処理装置の表示画面に、文字入力用キーとして縦３列横４列計１２個のキーからなる１２キーを表示し、左から右へ一番上の横１列目に１〜３を横２列目に４〜６を横３列目に７〜９を横４列目の中央に０の数字を配し、入力できる各文字にあらかじめ２桁の数字が割り当てられており、希望する文字に割り当てられている１桁目と２桁目のキーを押すことにより文字が入力できることを特徴とする文字入力方法。
【請求項５】
１２キーに割り当てられている文字の種類に、ひらがな、カタカナ、英文字、数字を有し、希望する入力モードに切替えることにより、希望する種類の文字が入力できることを特徴とする請求項１、２、３又は４記載の文字入力方法。
【請求項６】
表示画面に入力モード切替用のタブを表示し、希望する入力モードが表示されたタブを押して入力モードを切替えることにより、希望する入力モードで文字が入力できることを特徴とする請求項１、２、３、４又は５記載の文字入力方法。
【請求項７】
表示画面の一部に文字入力用の１２キーを表示し、空いている部分を通常のディスプレイ表示部として用い、入力された文字が通常のディスプレイ表示部に表示されることを特徴とする請求項１、２、３、４、５又は６記載の文字入力方法。
【請求項８】
表示画面の下方に文字入力用の１２キーを表示し、空いている部分を通常のディスプレイ表示部として用い、入力された文字が通常のディスプレイ表示部に表示されることを特徴とする請求項１、２、３、４、５、６又は７記載の文字入力方法。
【発明の詳細な説明】
【技術分野】
【０００１】
この発明は、タッチパネル入力機能のついた表示画面を有する情報処理装置における文字入力方法に関するものである。
【背景技術】
【０００２】
従来、タッチパネル入力機能のついた表示画面を有する情報処理装置における文字入力は、スタイラスペンによるものと、手書入力によるものと、５０音キーによるものと、アルファベットキーによるものとがあった。手書入力による入力方法は、画面の書込枠の中に文字を書き込み、この手書文字をすでに登録されている文字に変換する手書認識による方法と、すでに登録されている文字の中から変換する候補を表示する手書検索による方法とがある。５０音キーによる入力方法は、表示画面に５０音表にもとづいたキーを表示させ、目的の仮名のキーを押すことにより文字を入力する。アルファベットキーによる入力方法は、表示画面にすべてのアルファベットのキーを表示させ、目的のアルファベットのキーを押すことによりアルファベットを入力したり、ローマ字入力により仮名を入力する。入力手段は、情報処理装置が小型の場合そのほとんどがスタイラスペンを使用している。手書入力にはスタイラスペンが必要であり、５０音キーやアルファベットキーによる入力の場合でも、表示画面が狭くてキーが小さい場合はスタイラスペンが必要である。なおＰＤＡやタブレットＰＣのような小型の情報処理装置の場合、スタイラスペンは装置に収納されている。小型の情報処理装置を操作して文字入力するには、左手で情報処理装置を持ち、右手で情報処理装置からスタイラスペンを抜き取り、右手で持ったスタイラスペンで文字入力の操作をおこなう。ＡＴＭなどのように情報処理装置が大型の場合は、画面に５０音のキーボードが表示される。
【特許文献１】特公平０７−０３８１４９号公報
【発明の開示】
【発明が解決しようとする課題】
【０００３】
上記従来のタッチパネル入力機能のついた表示画面を有する情報処理装置における文字入力方法には、次のような問題があった。
【０００４】
５０音キーやアルファベットキーのキーボードを表示して文字を入力する場合、キーの数が多いので押すキーを捜すまでに時間がかかり、一個一個のキーが小さいので見にくく、しかも接近しあっているため間違って別のキーを押してしまいやすく、指の移動距離も長くなる。入力を急げばそれだけ打ち間違いも多くなる。キーボードは、小さな文字が画面に一杯表示されて画面が塞がってしまうため、入力された文字を表示する画面の余裕が少ない。
【０００５】
スタイラスペンを用いて手書入力をする場合、楷書で正確に書き込まなければならないため時間がかかり、しかも誤認識する頻度が高く、正しい文字を入力するには非常に根気を必要とする。スタイラスペンを使ってキーを押すことにより文字入力する場合、ペン先で目的のキーを押すという意外に面倒な作業に耐えなければならない。スタイラスペンは小型の情報処理装置に収納しなければならない場合が多いので非常に細くて小さいため、ペンとして非常に使いづらい。スタイラスペンは破損したり紛失したりしやすく、スタイラスペンがなければ文字入力ができなくなる。スタイラスペンを用いずに指で手書入力をしても、指先は太いので正確に書き込めないため希望する文字を入力することはできない。指でキーボードを操作すると、指先が太いので複数のキーを同時に押してしまうことが多く、希望した文字とは別の文字が入力されてしまいやすい。スタイラスペンを取って手に持つまでの時間のロスがある。小型の情報処理装置の場合、本体を片手に持ちもう片方の手でスタイラスペンを握って文字入力するので、両手を使用しなければ文字入力ができない。また、小型の情報処理装置にはスタイラスペンを収納するスペースを確保しなければならないため、小型化を制約する要因となっている。
【０００６】
入力モードの切替え作業には、たとえばひらがな→カタカナ→英文字→数字というように、希望する入力モードになるまでボタンを何回も押さなければならないものや、入力モード別のボタンは用意されているが、その度にキーの中から細かいボタンを探し出して押さなければならないものがあり、それらは時間のロスが大きいばかりでなく文字入力に集中している思考を頻繁に中断することになる。
【０００７】
タッチパネル入力機能のついた表示画面を有する情報処理装置、殊にはＰＤＡやタブレットＰＣといった小型の情報処理装置の普及を妨げている理由の一つとして、上記したように文字入力方法が非常に面倒であることがあげられる。
【０００８】
本発明は、上記した従来の問題点を解決し、正確かつスピーディでしかも操作が簡単な文字入力方法を提供することを目的とする。
【課題を解決するための手段】
【０００９】
上記目的を達成するための文字入力方法として、本発明の請求項１では、タッチパネル入力機能を有する情報処理装置の表示画面に、文字入力用キーとして縦３列横４列計１２個のキーからなる１２キーを表示し、キーを押すことによりキーに割り当てられた文字が入力でき、１個のキーに対して複数の文字が割り当てられている場合はそのキーを連続して押す回数に応じて文字を次々に変更でき、希望する文字が現れるまでキーを押すことにより文字が入力できることを特徴とすることを特徴とする。
【００１０】
また、本発明の請求項２では、タッチパネル入力機能を有する情報処理装置の表示画面に、文字入力用キーとして縦３列横４列計１２個のキーからなる１２キーと別枠とを表示し、キーを押すことによりキーに割り当てられた文字が入力でき、１個のキーに対して複数の文字が割り当てられている場合は、そのキーを押すとそれらの文字が別枠内に文字入力キーとして表示され、この別枠内の文字入力キーは他の１２キーを押すまでは表示されたままであり、別枠内に表示された希望する文字入力キーを押すことにより文字が入力できることを特徴とする。
【００１１】
また、本発明の請求項３では、タッチパネル入力機能を有する情報処理装置の表示画面に、文字入力用キーとして縦３列横４列計１２個のキーからなる１２キーを表示し、キーを押すことによりキーに割り当てられた文字が入力でき、１個のキーに対して複数の文字が割り当てられている場合は、そのキーを押すとそれらの文字は押したキーが属する列と隣接するキーの列との中間上にポップアップ表示された別枠内に一列の文字入力キーとして表示され、別枠の幅は下になっている１２キーに表示されている文字に重ならない程度であり、別枠は他の１２キーを押すまでは開かれたままの状態に保たれており、別枠内に表示された希望する文字入力キーを押すことにより文字が入力できることを特徴とする。
【００１２】
また、本発明の請求項４では、タッチパネル入力機能を有する情報処理装置の表示画面に、文字入力用キーとして縦３列横４列計１２個のキーからなる１２キーを表示し、左から右へ一番上の横１列目に１〜３を横２列目に４〜６を横３列目に７〜９を横４列目の中央に０の数字を配し、入力できる各文字にあらかじめ２桁の数字が割り当てられており、希望する文字に割り当てられている１桁目と２桁目のキーを押すことにより文字が入力できることを特徴とする。
【００１３】
また、本発明の請求項５では、前記した請求項１、２、３又は４記載の文字入力方法において、１２キーに割り当てられている文字の種類に、ひらがな、カタカナ、英文字、数字を有し、希望する入力モードに切替えることにより、希望する種類の文字が入力できることを特徴とする。
【００１４】
また、本発明の請求項６では、前記した請求項１、２、３、４又は５記載の文字入力方法において、表示画面に入力モード切替用のタブを表示し、希望する入力モードが表示されたタブを押して入力モードを切替えることにより、希望する入力モードで文字が入力できることを特徴とする。
【００１５】
また、本発明の請求項７では、前記した請求項１、２、３、４、５又は７記載の文字入力方法において、表示画面の一部に文字入力用の１２キーを表示し、空いている部分を通常のディスプレイ表示部として用い、入力された文字が通常のディスプレイ表示部に表示されることを特徴とする。
【００１６】
また、本発明の請求項８では、前記した請求項１、２、３、４、５、６又は７記載の文字入力方法において、表示画面の下方に文字入力用の１２キーを表示し、空いている部分を通常のディスプレイ表示部として用い、入力された文字が通常のディスプレイ表示部に表示されることを特徴とする。
【発明の効果】
【００１７】
本発明の情報処理装置の文字入力方法は、１２キー方式なのでキーの数が少なく、非常に見やすく、キーを探す時間がほとんど不要で、指で正確に押しやすいため、入力が正確かつスピーディーでしかも操作が簡単である。また、１２キーの配置が携帯電話と同じなので、多くの人が操作方法になじみやすい。また、１２キーは縦３列横４列と縦も横も少ないため、１２キーを表示できる表示画面の縦幅や横幅が比較的狭い場合であっても、携帯電話のボタン部程度の面積があれば十分表示することができる。また、ＰＤＡやタブレットＰＣなど小型の情報処理装置で表示画面が小さい場合でも、キーの数が少なくキー１個あたりの面積を十分にとることができるので、非常に文字入力操作がしやすくなる。また、タッチパネル入力機能のついた表示画面を有する情報処理装置であれば（たとえば、ＰＤＡやタブレットＰＣやＡＴＭ等。）、従来のハードをそのまま利用することができる。携帯電話と同じ１２キーを利用して文字入力できるようになるため、これまで足踏み状態であったＰＤＡやタブレットＰＣを広く普及させることができる。指でキーを押すだけで文字入力ができるので、スタイラスペンは必要なくなる。スタイラスペンを収納するスペースが不要となるので、情報処理装置をさらに小型化できる。スタイラスペンによる余分な作業がいらないので、その分の時間のロスがなくなる。小型の情報処理装置の場合、携帯電話のように片手で持ちながらその手の親指だけでキーを操作して文字入力することができる。その場合もう一方の手はまったく使わなくてよくなる。また、１個のキーに１文字しか割り当てられていない状態であれば、そのキーを１回押すだけで割り当てられた文字を入力することができる。
【００１８】
特に上記した請求項１記載の発明によれば、１２キーだけの操作で文字入力ができる。たとえばキーに５０音の行の文字を割り当てた場合、あ行のキーを押すたびに「あ」→「い」→「う」→「え」→「お」と入力される文字の表示が変わり、希望する文字が出たところでキーの連続操作をやめる方法である。この方法によれば、携帯電話の文字入力と同じ方式となるため、戸惑うことなくすぐに正確かつスピーディーでしかも簡単に小型情報処理装置の文字入力を行うことができるようになる。
【００１９】
特に上記した請求項２記載の発明によれば、１２キーと別枠が表示され、１２キーと別枠内に表示された文字入力キーの操作によって文字入力ができる。たとえばキーに５０音の行の文字を割り当てた場合、あ行のキーを押せば別枠内に「あいうえお」の５個の文字入力キーが表示され、希望する文字入力キーを押す方法である。この方法によれば、１２キーへの５０音の行の配置は携帯電話の文字入力と同じ方式であるため、戸惑うことなくすぐに正確かつスピーディーでしかも簡単に小型情報処理装置の文字入力を行うことができるようになる。しかも、別枠内に文字入力キーが表示され、かつ、同じ別枠内の文字入力であれば１２キーの操作は不要なので、携帯電話よりもキーを押す回数が平均すると少なくてすみ、また、携帯電話では希望する文字を通過した場合は一周するまで押し続けなければならないのに対して希望する文字へストレートにアクセスでき、その結果として携帯電話よりも正確かつスピーディーにしかも簡単な操作で文字入力できる。携帯電話の方法では文字入力するのにキーを何回押す必要があるかというと、一つのキーに付属した文字が５文字として計算すれば、平均２．５回であるが、この発明の方法による文字入力によればキーと文字入力キーを押した合計であるから２回であり、携帯電話よりも０．５回押す回数が少なくてすむ。別枠内の文字を入力している間はキーを押す必要がないので、一文字の入力に要する押す回数の平均はさらに低くなる。別枠は一定の位置に固定的に表示されるので、押すべき文字入力キーの位置に迷わないですむ。
【００２０】
特に上記した請求項３記載の発明によれば、１２キーとそのキーを押すことによりポップアップした別枠内に割り当てられた複数の文字の文字入力キーが表示され、１２キーと別枠内に表示された文字入力キーの操作によって文字入力ができる。たとえばキーに５０音の行の文字を割り当てた場合、あ行のキーを押せばポップアップ表示された別枠内に「あいうえお」の５個の文字入力キーが表示され、希望する文字入力キーを押す方法である。別枠は隣り合った列と列の間の上に重なって表示され、１２キーの表面に表示されている文字は見える状態となるため１２キーの操作に支障を生じることはなく、また、１２キーの上にポップアップするので別枠で１２キー以外の表示画面のエリアを使用せずにすむ。この方法によれば、１２キーへの５０音の行の配置は携帯電話の文字入力と同じ方式であるため、戸惑うことなくすぐに正確かつスピーディーでしかも簡単に小型情報処理装置の文字入力を行うことができるようになる。しかも、別枠内に文字入力キーが表示され、かつ、同じ別枠内の文字入力であれば１２キーの操作は不要なので、携帯電話よりもキーを押す回数が平均すると少なくてすみ、また、携帯電話では希望する文字を通過した場合は一周するまで押し続けなければならないのに対して希望する文字へストレートにアクセスでき、その結果として携帯電話よりも正確かつスピーディーにしかも簡単な操作で文字入力できる。携帯電話の方法では文字入力するのにキーを何回押す必要があるかというと、一つのキーに付属した文字が５文字として計算すれば、平均２．５回であるが、この発明の方法による文字入力によればキーと文字入力キーを押した合計であるから２回であり、携帯電話よりも０．５回押す回数が少なくてすむ。別枠内の文字を入力している間はキーを押す必要がないので、一文字の入力に要する押す回数の平均はさらに低くなる。押したキーの近くに別枠を表示することにより、指の移動距離を短くし、効率よく文字を入力することができる。
【００２１】
特に上記した請求項４記載の発明によれば、１２キーの１０個のキーに０から９の数字を配置し、２桁の数字を押すことにより文字入力できる。たとえば、最初の数字に５０音の行を割り当て、２番目の数字にその行の何番目の文字であるかによって該当する２桁の数字に割り当てられた文字を入力する方法である。この場合、１０の位の数字の１にあ行が割り当てられているとすると、１と１を押せば「あ」が、１と２を押せば「い」が、１と３を押せば「う」が、１と４を押せば「え」が、１と５を押せば「お」が入力できる。ポケベル方式の文字入力が可能となる。この方法によれば、１２キーの数字の配置が携帯電話と同じであると同時に、入力方式がポケベルと同じであるため、すでにポケベル方式の文字入力に慣れている人は戸惑うことなくすぐに正確かつスピーディーでしかも簡単に小型情報処理装置の文字入力を行うことができるようになる。携帯電話の方法では文字入力するのにキーを何回押す必要があるかというと、一つのキーに付属した文字が５文字として計算すれば、平均２．５回であるが、この発明の方法による文字入力によればキーと文字入力キーを押した合計であるから２回であり、携帯電話よりも０．５回押す回数が少なくてすむ。
【００２２】
特に上記した請求項５記載の発明によれば、ひらがな、カタカナ、英文字、数字の中から、希望する文字の種類を選んで文字入力できる。
【００２３】
特に上記した請求項６記載の発明によれば、希望する文字入力モードのタブを指で押すだけで、文字入力モードを切替えることができる。タブであるから、指で押しやすい大きさにすることができる。指でタブを押すだけなので、文字入力の流れを邪魔することなく、簡単に切り替えることができる。
【００２４】
特に上記した請求項７記載の発明によれば、表示画面の一部に１２キーを表示して、空いている部分を通常のディスプレイ表示部として用い、通常のディスプレイ表示部に入力された文字を表示することができる。１２キーだけで表示画面を塞ぐことはない。文字入力の結果を確認しながら文字入力をすることができる。
【００２５】
特に上記した請求項８記載の発明によれば、表示画面の下方に１２キーを表示して、空いている部分を通常のディスプレイ表示部として用い、通常のディスプレイ表示部に入力された文字を表示することができる。１２キーだけで表示画面を塞ぐことはない。表示画面の下方に１２キーを表示することにより文字入力がしやすくなって操作性が向上し、上方にある通常のディスプレイ表示部の表示画面を大きくとって入力された文字を表示するエリアを広くとることができ、しかも、文字入力の最中に手が邪魔をして通常のディスプレイ表示部が見えにくくなることはない。文字入力の結果を確認しながら文字入力をすることができる。
【発明を実施するための最良の形態】
【００２６】
５０音やアルファベットのキーボードや、スタイラスペンによる文字入力の煩わしさを解決し、正確かつスピーディーでしかも操作が簡単な文字入力方法を目的とし、タッチパネル入力機能を有する情報処理装置の表示画面に、文字入力用キーとして縦３列横４列計１２個のキーからなる１２キーを表示し、この１２キーを利用することにより実現した。
【実施例】
【００２７】
以下、添付図面に基づき本発明に係わる文字入力方法について説明するが、本発明は以下の実施例にのみ限定されるべきものではないことはいうまでもない。
【００２８】
図中１は、情報処理装置である。図１〜図１２は小型の情報処理装置１の一種のＰＤＡであり、図１２は情報処理装置１を片手で持ちながら本発明の文字入力方法によりその手の親指だけで文字入力をしている状態を表している。図１３は大型の情報処理装置１の一種のＡＴＭであり、本発明の文字入力方法により人差し指だけで文字入力をしている状態を表している。タッチパネル式の表示画面２であれば、既成のＰＤＡなどの情報処理装置１をそのまま使用することができる。図中２は、情報処理装置１のタッチパネル入力機能を有する表示画面２である。図中３は、横３列縦４列の１２個のキー４から構成された１２キーである。図１の１２キー３は、キー４の枠のみを示しているが、実際にはこのキー４の上にはキー４によって入力することのできる割り当てられた文字や、複数ある文字の代表する文字などが表示される。本実施例のキー４は四角い形をしていて隣接するキー４同士が密着しているが、キー４の形はこれに限らないし、隣のキー４との間が開いていてもよい。１２キー３の全体の大きさは、表示画面２の大きさの許す範囲であればある程度大きくて構わないし、最低でも携帯電話の文字入力ボタン程度の大きさであればよい。１２キー３を表示画面２に表示する位置は、基本的に自由であるが、表示画面２の上下に余裕がある場合は下方の方が操作性がよく、表示画面２の左右に余裕がある場合は入力に用いる手の側の方が操作性がよい。図１〜図１３のすべての１２キー３は表示画面２の下方に表示されており、図１３における１２キー３は表示画面２の右側に表示されている。１２キー３を文字入力など必要なときだけ表示画面２に表示して必要ないときは表示しないといった工夫がありえたとしても、文字入力方法に１２キー３が用いられる以上は、本発明の文字入力方法に含まれるものである。また、１２キー３の表示画面２への表示場所を必要に応じて変更移動できる工夫がありえたとしても、文字入力方法に１２キー３が用いられる以上は、本発明の文字入力方法に含まれるものである。また、１２キー３の大きさやキー４のデザインを変更する工夫がありえたとしても、文字入力方法に１２キー３が用いられる以上は、本発明の文字入力方法に含まれるものである。１２キー３への文字の割り当てとしては、携帯電話の方式に準じるのが現実的であるし、利用者もそのほうが混乱なく文字入力することができる。しかし、文字入力の目的によっては必要でない文字があるので、場合によっては最初から割り当てからはずしてもよい（たとえば、「アドレス表示」「＊」「♯」など。）。入力モードは、１種類しかない固定式と何種類もある切替え式のどちらの場合もありえるし、ひらがな入力モードにおいては無変換のみの場合と漢字変換できる場合のどちらもありえるし、半角入力モードを備えている場合もありえるし、絵文字入力モードを備えている場合もありえる。入力モードがひらがなの場合、たとえば、１２キー３のキー４の上に図２〜図７に示すような文字を表示し、１２キー３の左から右へ、一番上の横１列目のキー４に「あ行」「か行」「さ行」を、横２列目のキー４に「た行」「な行」「は行」を、横３列目のキー４に「ま行」「や行」「ら行」を、横４列目のキー４に「濁点化→半濁点化→無濁点化」「わをんー、。」「記号」を割り当てる。入力モードがカタカナの場合、たとえば、１２キー３のキー４の上に図８に示すような文字を表示し、１２キー３の左から右へ、一番上の横１列目のキー４に「ア行」「カ行」「サ行」を、横２列目のキー４に「タ行」「ナ行」「ハ行」を、横３列目のキー４に「マ行」「ヤ行」「ラ行」を、横４列目のキー４に「濁点化→半濁点化→無濁点化」「ワヲンー、。」「記号」を割り当てる。入力モードが英文字の場合、たとえば、１２キー３のキー４の上に図９に示すような文字を表示し、１２キー３の左から右へ、一番上の横１列目のキー４に「＠．／＿１スペース」「ＡＢＣａｂｃ２」「ＤＥＦｄｅｆ３」を、横２列目のキー４に「ＧＨＩｇｈｉ４」「ＪＫＬｊｋｌ５」「ＭＮＯｍｎｏ６」を、横３列目のキー４に「ＰＱＲＳｐｑｒｓ７」「ＴＵＶｔｕｖ８」「ＷＸＹＺｗｘｙｚ９」を、横４列目のキー４に「アドレス表示」「，．０」「記号」を割り当てる。入力モードが数字やポケベル入力の場合、たとえば、１２キー３のキー４の上に図１０図１１に示すような文字を表示し、１２キー３の左から右へ、一番上の横１列目のキー４に「１」「２」「３」を、横２列目のキー４に「４」「５」「６」を、横３列目のキー４に「７」「８」「９」を、横４列目のキー４に「＊」「０」「♯」を割り当てる。１２キー３のキー４の上に表示する文字は、上記したように入力モードによって変えてもよいし、携帯電話のボタンのように、１２キー３の左から右へ、一番上の横１列目のキー４に「あ＠１」「かＡＢＣ２」「さＤＥＦ３」を、横２列目のキー４に「たＧＨＩ４」「なＪＫＬ５」「はＭＮＯ６」を、横３列目のキー４に「まＰＱＲＳ７」「やＴＵＶ８」「らＷＸＹＺ９」を、横４列目のキー４に「゛゜＊」「わをん、。０」「記号♯」と表示したまま変えなくてもよい。
【００２９】
図３に本発明の実施例１を示す。タッチパネル入力機能を有する情報処理装置１であるＰＤＡの表示画面２の下方に１２キー３を表示する。表示画面２の上方は通常のディスプレイ表示部８である。キー４の上に５０音のあ段の文字を表示する。これはひらがな入力モードである。５０音の各行のキー４はそれぞれ連続的に押すことにより各行に属する文字を順番に表示させることができる。この図では、「あ」と表示されたあ行のキー４を連続的に３回押して「う」の文字を入力している。
【００３０】
図４に本発明の実施例２を示す。タッチパネル入力機能を有する情報処理装置１であるＰＤＡの表示画面２の下方に１２キー３を表示し、１２キー３の下に別枠５を表示する。表示画面２の上方は通常のディスプレイ表示部８である。別枠５を表示する場所をどこにするかは特に限定しない。１２キー３のキー４の上に５０音のあ段の文字を表示する。これはひらがな入力モードである。５０音の各行をあらわすキー４を押すと、別枠５内にその行に属する５音の文字が表示された文字入力キー６が表示される。この図では、まず「あ」と表示されたあ行のキー４を押し、つぎに別枠５内に表示された「あ」「い」「う」「え」「お」の中から「い」の文字入力キー６を押すことで、「い」の文字を入力している。
【００３１】
図５に本発明の実施例３を示す。タッチパネル入力機能を有する情報処理装置１であるＰＤＡの表示画面２の下方に１２キー３を表示する。表示画面２の上方は通常のディスプレイ表示部８である。１２キー３のキー４の上に５０音のあ段の文字を表示する。これはひらがな入力モードである。５０音の各行をあらわすキー４を押すと、押したキーが属する横の列と上又は下に隣接するキーの横の列との中間上に別枠５をポップアップ表示し、別枠５内に各行に属する５音の文字が表示された文字入力キー６が表示される。押したキー４の近くに別枠５を表示するのは、指の移動距離を短くして正確でスピーディーな文字入力ができるようにするためである。別枠５の幅はキー４に表示されている文字を隠さない程度であり、こうすることで別枠５が１２キー３を操作する際の邪魔にならないようにする。この図では、まず「あ」と表示されたあ行のキー４を押し、つぎにあ行のキー４の列とた行のキー４の列の中間にポップアップ表示された別枠５内に表示された「あ」「い」「う」「え」「お」の中から「あ」の文字入力キー６を押すことで、「あ」の文字を入力している。たとえば、「あおいうえ」のように、この別枠５内の文字入力キー６を操作している間は別枠５は開かれたままであり、他の１２キー３を押した時点で別の文字入力キー６が表示された別枠５がポップアップ表示される。別枠５の表示はつねに一つであり、二つ以上の別枠５が表示されることはない。
【００３２】
図６に本発明の実施例４を示す。タッチパネル入力機能を有する情報処理装置１であるＰＤＡの表示画面２の下方に１２キー３を表示する。表示画面２の上方は通常のディスプレイ表示部８である。１２キー３のキー４の上に５０音のあ段の文字を表示する。これはひらがな入力モードである。５０音の各行をあらわすキー４を押すと、押したキーが属する縦の列と右又は左に隣接するキーの縦の列との中間上に別枠５をポップアップ表示し、別枠５内に各行に属する５音の文字が表示された文字入力キー６が表示される。押したキー４の近くに別枠５を表示するのは、指の移動距離を短くして正確でスピーディーな文字入力ができるようにするためである。別枠５の幅はキー４に表示されている文字を隠さない程度であり、こうすることで別枠５が１２キー３を操作する際の邪魔にならないようにする。この図では、まず「あ」と表示されたあ行のキー４を押し、つぎにあ行のキー４の列とか行のキー４の列の中間にポップアップ表示された別枠５内に表示された「あ」「い」「う」「え」「お」の中から「う」と「え」の文字入力キー６を押すことで、「う」「え」の文字を入力している。たとえば、「うえあおい」のように、この別枠５内の文字入力キー６を操作している間は別枠５は開かれたままであり、他の１２キー３を押した時点で別の文字入力キー６が表示された別枠５がポップアップ表示される。別枠５の表示はつねに一つであり、二つ以上の別枠５が表示されることはない。
【００３３】
図７〜図１０に本発明の実施例５を示す。タッチパネル入力機能を有する情報処理装置１であるＰＤＡの表示画面２の下方に１２キー３を表示する。１２キー３の上部にタブ７を表示する。タブ４を表示する場所は特に限定しない。表示画面２の上方は通常のディスプレイ表示部８である。タブ７に表示された入力モードは、「ひらがな」「カタカナ」「英（文字）」「数字」の４つである。希望する入力モードのタブ７を押すことにより、文字入力の入力モードが変更できる。図７では、「ひらがな」と表示されたタブ７が選択された状態なので、１２キー３のキー４の上に５０音のあ段の文字である「あ」「か」「さ」「た」「な」「は」「ま」「や」「ら」「わ」が表示されており、ひらがな入力モードで文字入力することができる。図８では、「カタカナ」と表示されたタブ７が選択された状態なので、１２キー３のキー４の上に５０音のア段の文字である「ア」「カ」「サ」「タ」「ナ」「ハ」「マ」「ヤ」「ラ」「ワ」が表示されており、カタカナ入力モードで文字入力することができる。図９では、「英（文字）」と表示されたタブ７が選択された状態なので、１２キー３のキー４の上にアルファベットの文字である「＠」「ＡＢＣ」「ＤＥＦ」「ＧＨＩ」「ＪＫＬ」「ＭＮＯ」「ＰＱＲＳ」「ＴＵＶ」「ＷＸＹＺ」「，．」が表示されており、英文字入力モードで文字入力することができる。図１０では、「数字」と表示されたタブ７が選択された状態なので、１２キー３のキー４の上には数字の「１」「２」「３」「４」「５」「６」「７」「８」「９」「０」が表示されており、数字入力モードで文字入力することができる。
【００３４】
図１１に本発明の実施例６を示す。タッチパネル入力機能を有する情報処理装置１であるＰＤＡの表示画面２の下方に１２キー３を表示する。１２キー３の上部にタブ７を表示する。タブ４を表示する場所は特に限定しない。表示画面２の上方は通常のディスプレイ表示部８である。タブ７に表示された入力モードは、「ひらがな」「カタカナ」「英（文字）」「数字」「ポケベル」の４つである。希望する入力モードのタブ７を押すことにより、文字入力の入力モードが変更できる。この図では、「ポケベル」と表示されたタブ７が選択された状態なので、１２キー３のキー４の上には数字の「１」「２」「３」「４」「５」「６」「７」「８」「９」「０」が表示されており、ポケベル入力モードで文字入力することができる。たとえば、「あし」と入力するには、まず図に示すようにキー４で１１と押せば「あ」の文字が入力され、つぎにキー４で３２と押せば「し」の文字が入力される。
【図面の簡単な説明】
【００３５】
【図１】本発明の文字入力方法をあらわす説明図。
【図２】本発明の文字入力方法において、１２キーに５０音のあ段を表示した状態の説明図。
【図３】本発明の文字入力方法において、キーを連続的に押して文字を入力する状態の説明図。（実施例１）
【図４】本発明の文字入力方法において、１２キーと別枠を表示して別枠内の文字入力キーを押して文字を入力する説明図。（実施例２）
【図５】本発明の文字入力方法において、ポップアップ表示された別枠内の文字入力キーを押して文字を入力する説明図。（実施例３）
【図６】本発明の文字入力方法において、ポップアップ表示された別枠内の文字入力キーを押して文字を入力する説明図。（実施例４）
【図７】本発明の文字入力方法において、ひらがな入力モードを選択した状態の説明図。（実施例５）
【図８】本発明の文字入力方法において、カタカナ入力モードを選択した状態の説明図。（実施例５）
【図９】本発明の文字入力方法において、英文字入力モードを選択した状態の説明図。（実施例５）
【図１０】本発明の文字入力方法において、数字入力モードを選択した状態の説明図。（実施例５）
【図１１】本発明の文字入力方法において、ポケベル入力モードを選択した状態の説明図。（実施例６）
【図１２】本発明の文字入力方法において、小型の情報処理装置の文字入力を片手で行っている状態の説明図。
【図１３】本発明の文字入力方法において、大型の情報処理装置の文字入力を指で行っている状態の説明図。
【符号の説明】
【００３６】
１    情報処理装置
２    表示画面
３    １２キー
４    キー
５    別枠
６    文字入力キー
７    タブ
８    通常のディスプレイ表示部
９    入力された文字
【図１】
2005092441.tif 000003
【図２】
2005092441.tif 000004
【図３】
2005092441.tif 000005
【図４】
2005092441.tif 000006
【図５】
2005092441.tif 000007
【図６】
2005092441.tif 000008
【図７】
2005092441.tif 000009
【図８】
2005092441.tif 000010
【図９】
2005092441.tif 000011
【図１０】
2005092441.tif 000012
【図１１】
2005092441.tif 000013
【図１２】
2005092441.tif 000014
【図１３】
2005092441.tif 000015